(57)【特許請求の範囲】
【請求項１】
可溶性第一スズ塩と有機スルホン酸とチオ尿素類を含有する無電解スズメッキ浴において、
上記有機スルホン酸として、分子内に水酸基を有する有機スルホン酸のアニオン部分を含み、且つ、アルカンスルホン酸のアニオン部分を含有せず、
分子内に水酸基を有する有機スルホン酸は、アニオン換算で芳香族オキシスルホン酸／アルカノールスルホン酸＝０〜０.１のモル比の混合物であり、
可溶性第一スズ塩(Ｓｎ2+換算)とアルカノールスルホン酸(アニオン換算)とチオ尿素類の単位リットル当たりの含有モル量の割合が、Ｓｎ2+／アルカノールスルホン酸／チオ尿素類＝０.０１〜２／１.４〜８／０.６〜５であることを特徴とする無電解スズメッキ浴。
【請求項２】
アルカノールスルホン酸がＣ1〜Ｃ5アルカノールスルホン酸であることを特徴とする請求項１に記載の無電解スズメッキ浴。
【請求項３】
芳香族オキシスルホン酸が、フェノールスルホン酸、クレゾールスルホン酸、ナフトールスルホン酸、スルホサリチル酸などであることを特徴とする請求項１又は２に記載の無電解スズメッキ浴。
【請求項４】
可溶性第一スズ塩が、ホウフッ化第一スズ、硫酸第一スズ、酸化第一スズ、塩化第一スズ、ピロリン酸スズ、スルファミン酸スズ、亜スズ酸塩などの無機系の可溶性塩、アルカノールスルホン酸第一スズ、スルホコハク酸第一スズ、脂肪族カルボン酸第一スズなどの有機系の可溶性塩であることを特徴とする請求項１〜３のいずれか１項に記載の無電解スズメッキ浴。
【請求項５】
さらに、酸化防止剤を含有することを特徴とする請求項１〜４のいずれか１項に記載の無電解スズメッキ浴。
【請求項６】
さらに、ノニオン系界面活性剤と両性界面活性剤の少なくとも一種を含有することを特徴とする請求項１〜５のいずれか１項に記載の無電解スズメッキ浴。
【請求項７】
可溶性第一スズと、２−ヒドロキシエタンスルホン酸と、チオ尿素と、次亜リン酸と、ノニオン系界面活性剤とを含有することを特徴とする請求項１に記載の無電解スズメッキ浴。
【請求項８】
ノニオン系界面活性剤に代えて、両性界面活性剤を含有することを特徴とする請求項７に記載の無電解スズメッキ浴。
【請求項９】
２−ヒドロキシエタンスルホン酸及びフェノールスルホン酸を、フェノールスルホン酸／２−ヒドロキシエタンスルホン酸＝０〜０.０８５の範囲のモル比で含有することを特徴とする請求項７又は８に記載の無電解スズメッキ浴。
【発明の詳細な説明】
【０００１】
【発明の属する技術分野】
本発明は無電解スズメッキの有機スルホン酸メッキ浴に関して、有機スルホン酸をアルカノールスルホン酸に基本限定しながら、このアルカノールスルホン酸とＳｎ2+とチオ尿素類を所定のモル量で含有させることにより、スズメッキ皮膜に異常粒子や過剰析出が発生するのを有効に防止できるものを提供する。
【０００２】
【従来の技術】
従来、無電解スズの有機スルホン酸浴は、排水処理の容易性、スズ塩の溶解性などの見地から多く研究され、報告されている。
本出願人も、特開平５−１８６８７８号公報、特開平７−１１３１７９号公報、特開平１０−３６９７３号公報、特開平１１−６１４２６号公報、特開平１１−２５６３５０号公報、特開平１１−３４３５７８号公報などで、浴ベースとしての有機スルホン酸と、可溶性第一スズ塩と、銅製素地との置換反応を促進するためのチオ尿素類とを基本組成とする無電解スズメッキ浴を開示している。
【０００３】
【発明が解決しようとする課題】
しかしながら、無電解スズの有機スルホン酸浴を用いた場合、得られるスズメッキ皮膜には析出異常が認められることが少なくないという実情がある。
この点を詳述すると、例えば、プリント基板のリードにスズ皮膜を形成すると、スズ皮膜の表面に微細な異常粒子が群棲して発生したり(図２参照)、或は、ベースフィルムのポリイミド樹脂上にインナリードをパターン形成したフィルムキャリアなどにスズメッキを施すと、インナリードの表面からポリイミド樹脂の周縁に向けてスズ皮膜が樹氷状に過剰析出し(図３参照)、これらの異常粒子や過剰析出の発生が短絡や接合強度低下の原因になるため、電子部品などの信頼性を低下させてしまう。
ちなみに、図４〜５は、異常粒子や過剰析出の発生がない正常なスズ皮膜を示したものである。
【０００４】
本発明は、有機スルホン酸と可溶性第一スズ塩とチオ尿素類を基本組成とする無電解スズメッキ浴において、得られるスズ皮膜に異常粒子や過剰析出が発生するのを有効に防止することを技術的課題とする。
【０００５】
【課題を解決するための手段】
本発明者らは、無電解スズの有機スルホン酸浴において、有機スルホン酸の種類や含有量を変えてスズ皮膜の析出異常の発生状況を鋭意観察した結果、浴ベースとなる有機スルホン酸がアルカンスルホン酸の場合とアルカノールスルホン酸とでは、得られるスズ皮膜上の析出異常の発生度合が大きく異なり、アルカンスルホン酸のアニオン部分が存在すると、スズ皮膜が析出異常する頻度が増すが、アルカンスルホン酸をアルカノールスルホン酸で代替すると、スズ皮膜の析出異常を顕著に回避できることを突き止めた。
そこで、この知見に基づいて、さらに研究を重ねた結果、このアルカンスルホン酸のアニオン部分が存在しない条件下で、アルカノールスルホン酸(アニオン換算)とＳｎ2+とチオ尿素類の含有モル量の割合が所定の範囲内になるように選択すると、スズメッキ皮膜の異常粒子や過剰析出の発生を有効に防止できること、また、フェノールスルホン酸などの水酸基を含有する芳香族系有機スルホン酸がアルカノールスルホン酸に対して所定の少量範囲内で浴中に存在しても、この析出異常防止作用を良好に保持できることを見い出し、本発明を完成した。
【０００６】
即ち、本発明１は、可溶性第一スズ塩と有機スルホン酸とチオ尿素類を含有する無電解スズメッキ浴において、
上記有機スルホン酸として、分子内に水酸基を有する有機スルホン酸のアニオン部分を含み、且つ、アルカンスルホン酸のアニオン部分を含有せず、
分子内に水酸基を有する有機スルホン酸は、アニオン換算で芳香族オキシスルホン酸／アルカノールスルホン酸＝０〜０.１のモル比の混合物であり、
可溶性第一スズ塩(Ｓｎ2+換算)とアルカノールスルホン酸(アニオン換算)とチオ尿素類の単位リットル当たりの含有モル量の割合が、Ｓｎ2+／アルカノールスルホン酸／チオ尿素類＝０.０１〜２／１.４〜８／０.６〜５であることを特徴とする無電解スズメッキ浴である。
【０００７】
本発明２は、上記本発明１において、アルカノールスルホン酸がＣ1〜Ｃ5アルカノールスルホン酸であることを特徴とする無電解スズメッキ浴である。
【０００８】
本発明３は、上記本発明１又は２において、芳香族オキシスルホン酸が、フェノールスルホン酸、クレゾールスルホン酸、ナフトールスルホン酸、スルホサリチル酸などであることを特徴とする無電解スズメッキ浴である。
【０００９】
本発明４は、上記本発明１〜３のいずれかにおいて、可溶性第一スズ塩が、ホウフッ化第一スズ、硫酸第一スズ、酸化第一スズ、塩化第一スズ、ピロリン酸スズ、スルファミン酸スズ、亜スズ酸塩などの無機系の可溶性塩、アルカノールスルホン酸第一スズ、スルホコハク酸第一スズ、脂肪族カルボン酸第一スズなどの有機系の可溶性塩であることを特徴とする無電解スズメッキ浴である。
【００１０】
本発明５は、上記本発明１〜４のいずれかにおいて、さらに、酸化防止剤を含有することを特徴とする無電解スズメッキ浴である。
【００１１】
本発明６は、上記本発明１〜３のいずれかにおいて、さらに、ノニオン系界面活性剤と両性界面活性剤の少なくとも一種を含有することを特徴とする無電解スズメッキ浴である。
【００１２】
本発明７は、上記本発明１において、可溶性第一スズと、２−ヒドロキシエタンスルホン酸と、チオ尿素と、次亜リン酸と、ノニオン系界面活性剤とを含有することを特徴とする無電解スズメッキ浴である。
【００１３】
本発明８は、上記本発明７において、ノニオン系界面活性剤に代えて、両性界面活性剤を含有することを特徴とする無電解スズメッキ浴である。
【００１４】
本発明９は、上記本発明７又は８において、２−ヒドロキシエタンスルホン酸及びフェノールスルホン酸を、フェノールスルホン酸／２−ヒドロキシエタンスルホン酸＝０〜０.０８５の範囲のモル比で含有することを特徴とする無電解スズメッキ浴である。
【００１５】
【発明の実施の形態】
本発明は、可溶性第一スズ塩と有機スルホン酸とチオ尿素類を基本組成とする無電解スズメッキ浴において、下記の(ａ)〜(ｃ)のすべての条件を満たす浴である。
(ａ)有機スルホン酸として、分子内に水酸基を有する有機スルホン酸のアニオン部分を含有し、且つ、アルカンスルホン酸のアニオン部分を含有しない。
有機スルホン酸としては、分子内に水酸基を有する有機スルホン酸を含有する必要があり、これとは逆に、アルカンスルホン酸の含有は排除される。従って、遊離酸としてのアルカンスルホン酸のみならず、アルカンスルホン酸の第一スズ塩も浴中での存在を排除される。
また、浴中の有機スルホン酸としては、水酸基を有する有機スルホン酸が必須であるが、この外に、ベンゼンスルホン酸、ナフタレンスルホン酸、スルホコハク酸などのようなアルカンスルホン酸に属さず、水酸基のない有機スルホン酸が存在しても差し支えない。
【００１６】
(ｂ)分子内に水酸基を有する有機スルホン酸は、アニオン換算で芳香族オキシスルホン酸／アルカノールスルホン酸＝０〜０.１のモル比の混合物である。
上記条件(ａ)に示すように、メッキ浴中には水酸基を有する有機スルホン酸が存在する必要があるが、この有機スルホン酸はアルカノールスルホン酸の単用であるか、アルカノールスルホン酸と芳香族オキシスルホン酸の併用であるかのいずれかであり、芳香族オキシスルホン酸を浴中に添加する場合には、アルカノールスルホン酸の１／１０以下のモル比で使用することが必要である。
【００１７】
(ｃ)可溶性第一スズ塩(Ｓｎ2+換算)とアルカノールスルホン酸(アニオン換算)とチオ尿素類の単位リットル当たりの含有モル量が、Ｓｎ2+／アルカノールスルホン酸／チオ尿素類＝０.０１〜２／１.４〜８／０.６〜５である。
アルカノールスルホン酸のアニオン換算モル量とは、浴中に存在する遊離酸としてのアルカノールスルホン酸のモル量だけを意味するものではなく、可溶性第一スズ塩にアルカノールスルホン酸の第一スズ塩を使用した場合には、そのアルカノールスルホン酸アニオン部分のモル量を加算したものを意味する。
【００１８】
本発明の無電解スズメッキ浴は、前述したように、可溶性第一スズ塩と、浴ベースとしての有機スルホン酸と、錯化剤としてのチオ尿素類を基本組成とする。
そこで、上記浴ベースとしての有機スルホン酸を前記条件(ａ)〜(ｃ)に基づいてより詳細に説明すると、アルカンスルホン酸は使用できず、且つ、水酸基を有する有機スルホン酸を使用する必要がある。水酸基を有する有機スルホン酸の使用とは、アルカノールスルホン酸の単用であるか、アルカノールスルホン酸と少量の芳香族オキシスルホン酸との併用をいう。アルカノールスルホン酸と芳香族オキシスルホン酸を併用する場合には、上記(ｂ)の条件下で浴に含有させる必要がある。
浴ベースとしての上記有機スルホン酸には、無機酸や脂肪族カルボン酸などの有機酸を併用しても、或は、スルホコハク酸、ベンゼンスルホン酸、ナフタレンスルホン酸などのようなアルカンスルホン酸には属さない水酸基のない有機スルホン酸を併用しても良い。脂肪族カルボン酸には、乳酸、クエン酸、グルコン酸、リンゴ酸などが挙げられ、無機酸には、硫酸、塩酸、ホウフッ化水素酸、ケイフッ化水素酸、スルファミン酸などが挙げられる。
【００１９】
上記アルカンスルホン酸は、化学式ＣnＨ2n+1ＳＯ3Ｈ(例えば、ｎ=１〜１１)で示されるものであり、具体的には、メタンスルホン酸、エタンスルホン酸、１―プロパンスルホン酸、２―プロパンスルホン酸、１―ブタンスルホン酸、２―ブタンスルホン酸、ペンタンスルホン酸などが挙げられる。
【００２０】
上記アルカノールスルホン酸は、化学式
ＣmＨ2m+1-ＣＨ(ＯＨ)-ＣpＨ2p-ＳＯ3Ｈ(例えば、ｍ=０〜６、ｐ=１〜５)
で示されるものであり、具体的には、２―ヒドロキシエタン―１―スルホン酸、２―ヒドロキシプロパン―１―スルホン酸、２―ヒドロキシブタン―１―スルホン酸、２―ヒドロキシペンタン―１―スルホン酸などの外、１―ヒドロキシプロパン―２―スルホン酸、３―ヒドロキシプロパン―１―スルホン酸、４―ヒドロキシブタン―１―スルホン酸、２―ヒドロキシヘキサン―１―スルホン酸などが挙げられる。
本発明で使用するアルカノールスルホン酸としては、本発明２に示すように、Ｃ1〜Ｃ5アルカノールスルホン酸が好ましく、２−ヒドロキシエタンスルホン酸、２−ヒドロキシプロパンスルホン酸、３−ヒドロキシプロパンスルホン酸、２−ヒドロキシブタンスルホン酸、３−ヒドロキシブタンスルホン酸、４−ヒドロキシブタンスルホン酸などがより好ましい。
【００２１】
上記芳香族オキシスルホン酸は、本発明３に示すように、フェノールスルホン酸、クレゾールスルホン酸、ナフトールスルホン酸、スルホサリチル酸などである。
また、水酸基を有さない芳香族スルホン酸は、１−ナフタレンスルホン酸、２−ナフタレンスルホン酸、トルエンスルホン酸、キシレンスルホン酸、ニトロベンゼンスルホン酸、スルホ安息香酸、ジフェニルアミン−４−スルホン酸などである。
【００２２】
上記可溶性第一スズ塩を上記条件(ａ)〜(ｃ)に基づいて説明すると、本発明４に示すように、ホウフッ化第一スズ、硫酸第一スズ、酸化第一スズ、塩化第一スズ、ピロリン酸スズ、スルファミン酸スズ、亜スズ酸塩などの無機系の可溶性塩、アルカノールスルホン酸第一スズ、芳香族オキシスルホン酸第一スズ塩、スルホコハク酸第一スズ、脂肪族カルボン酸第一スズなどの有機系の可溶性塩などが挙げられる。
但し、上記条件(ａ)により、有機スルホン酸の第一スズ塩では、アルカンスルホン酸の第一スズ塩は排除される。
【００２３】
上記チオ尿素類は、素地金属の銅、銅合金に配位して錯イオンを形成し、銅の電極電位を卑の方向に変移させて、スズとの化学置換反応を促進するために含有される。
このチオ尿素類には、チオ尿素、或は、１,３―ジメチルチオ尿素、トリメチルチオ尿素、ジエチルチオ尿素(例えば、１,３―ジエチル―２―チオ尿素)、Ｎ,Ｎ′―ジイソプロピルチオ尿素、アリルチオ尿素、アセチルチオ尿素、エチレンチオ尿素、１,３―ジフェニルチオ尿素、二酸化チオ尿素、チオセミカルバジドなどのチオ尿素誘導体が挙げられる。
当該チオ尿素類と同様の錯化作用を奏する化合物としては、エチレンジアミン四酢酸(ＥＤＴＡ)、エチレンジアミン四酢酸二ナトリウム塩(ＥＤＴＡ・２Ｎａ)、ヒドロキシエチルエチレンジアミン三酢酸(ＨＥＤＴＡ)、ジエチレントリアミン五酢酸(ＤＴＰＡ)、トリエチレンテトラミン六酢酸(ＴＴＨＡ)、エチレンジアミンテトラプロピオン酸、エチレンジアミンテトラメチレンリン酸、ジエチレントリアミンペンタメチレンリン酸、ニトリロ三酢酸(ＮＴＡ)、イミノジ酢酸(ＩＤＡ)、イミノジプロピオン酸(ＩＤＰ)、アミノトリメチレンリン酸、アミノトリメチレンリン酸五ナトリウム塩、ベンジルアミン、２―ナフチルアミン、イソブチルアミン、イソアミルアミン、メチレンジアミン、エチレンジアミン、テトラメチレンジアミン、ペンタメチレンジアミン、ヘキサメチレンジアミン、ジエチレントリアミン、テトラエチレンペンタミン、ペンタエチレンヘキサミン、ヘキサエチレンヘプタミン、シンナミルアミン、ｐ―メトキシシンナミルアミンなども有効である。
【００２４】
本発明の無電解スズメッキ浴において、上記条件(ｃ)に示すように、可溶性第一スズ塩(Ｓｎ2+換算)は０.０１〜２モル／Ｌ、アルカノールスルホン酸(アニオン換算)は１.４〜８モル／Ｌ、チオ尿素類は０.６〜５モル／Ｌである。
Ｓｎ2+が２モル／Ｌを越えるとスズ皮膜が異常粒子化し、また、スズ皮膜の析出を担保する見地から０.０１モル／Ｌ以上が必要である。アルカノールスルホン酸のアニオン部分が１.４モル／Ｌより少ないと浴が安定せず、８モル／Ｌを越えると他の組成の添加が容易でなくなる。チオ尿素類が０.６モル／Ｌより少ないと浴が安定せず、また、チオ尿素類自体を円滑に溶解させて沈殿させない見地から５モル／Ｌ以下が必要である。
【００２５】
前述したように、アルカノールスルホン酸のアニオン部分とは、浴中に存在する遊離酸としてのアルカノールスルホン酸だけではなく、可溶性第一スズ塩にアルカノールスルホン酸の第一スズ塩を使用した場合には、そのアルカノールスルホン酸のアニオン部分も意味する。従って、メッキ浴中にアルカノールスルホン酸の第一スズ塩が添加された場合には、遊離酸としてのアルカノールスルホン酸が添加されない場合も、本発明の対象となる。
また、アルカノールスルホン酸は、条件(ａ)に示す水酸基を有する有機スルホン酸の最適例であるが、上記条件(ｂ)に示すように、このアルカノールスルホン酸を単用するだけではなく、アルカノールスルホン酸と芳香族オキシスルホン酸の併用であっても良い。芳香族オキシスルホン酸を併用する場合には、アルカノールスルホン酸の１／１０以下のモル比で添加する必要がある。
【００２６】
本発明の無電解スズメッキ浴の好ましい組成を挙げると、本発明７に示すように、可溶性第一スズ塩と、２−ヒドロキシエタンスルホン酸と、チオ尿素と、次亜リン酸と、ノニオン系界面活性剤とを含有するメッキ浴である。本発明８に示すように、ノニオン系界面活性剤を両性界面活性剤に代替しても良い。尚、可溶性第一スズ塩には、２−ヒドロキシエタンスルホン酸などのアルカノールスルホン酸の第一スズ塩や、酸化第一スズなどの無機酸のスズ塩が挙げられる。
また、上記条件(ｂ)から、浴ベースの有機スルホン酸としては、アルカノールスルホン酸の単用か、芳香族オキシスルホン酸との併用が必要であるが、この場合、本発明９に示すように、２−ヒドロキシエタンスルホン酸及びフェノールスルホン酸を、フェノールスルホン酸／２−ヒドロキシエタンスルホン酸＝０〜０.０８５の範囲のモル比で含有させたものが好適である。
【００２７】
一方、無電解スズメッキ浴には上記基本成分以外に、必要に応じて公知の界面活性剤、酸化防止剤、光沢剤、半光沢剤、ｐＨ調整剤、防腐剤などの各種添加剤を混合できることはいうまでもない。
上記界面活性剤には通常のノニオン系、アニオン系、両性、或はカチオン系などの各種界面活性剤が挙げられ、メッキ皮膜の外観、緻密性、平滑性、密着性などの改善に寄与する。
上記アニオン系界面活性剤としては、アルキル硫酸塩、ポリオキシエチレンアルキルエーテル硫酸塩、ポリオキシエチレンアルキルフェニルエーテル硫酸塩、アルキルベンゼンスルホン酸塩、アルキルナフタレンスルホン酸塩などが挙げられる。カチオン系界面活性剤としては、モノ〜トリアルキルアミン塩、ジメチルジアルキルアンモニウム塩、トリメチルアルキルアンモニウム塩などが挙げられる。ノニオン系界面活性剤としては、Ｃ1〜Ｃ20アルカノール、フェノール、ナフトール、ビスフェノール類、Ｃ1〜Ｃ25アルキルフェノール、アリールアルキルフェノール、Ｃ1〜Ｃ25アルキルナフトール、Ｃ1〜Ｃ25アルコキシルリン酸(塩)、ソルビタンエステル、ポリアルキレングリコール、Ｃ1〜Ｃ22脂肪族アミドなどにエチレンオキシド(ＥＯ)及び／又はプロピレンオキシド(ＰＯ)を２〜３００モル付加縮合させたものなどが挙げられる。両性界面活性剤としては、カルボキシベタイン、イミダゾリンベタイン、スルホベタイン、アミノカルボン酸などが挙げられる。
【００２８】
上記酸化防止剤は、浴中のＳｎ2+の酸化防止を目的としたもので、次亜リン酸又はその塩、アスコルビン酸又はその塩、ハイドロキノン、カテコール、レゾルシン、フロログルシン、クレゾールスルホン酸又はその塩、フェノールスルホン酸又はその塩、カテコールスルホン酸又はその塩、ハイドロキノンスルホン酸又はその塩、ヒドラジンなどが挙げられる。
【００２９】
上記光沢剤、或は半光沢剤としては、ベンズアルデヒド、ｏ−クロロベンズアルデヒド、２,４,６−トリクロロベンズアルデヒド、ｍ−クロロベンズアルデヒド、ｐ−ニトロベンズアルデヒド、ｐ−ヒドロキシベンズアルデヒド、フルフラール、１−ナフトアルデヒド、２−ナフトアルデヒド、２−ヒドロキシ−１−ナフトアルデヒド、３−アセナフトアルデヒド、ベンジリデンアセトン、ピリジデンアセトン、フルフリルデンアセトン、シンナムアルデヒド、アニスアルデヒド、サリチルアルデヒド、クロトンアルデヒド、アクロレイン、グルタルアルデヒド、パラアルデヒド、バニリンなどの各種アルデヒド、トリアジン、イミダゾール、インドール、キノリン、２−ビニルピリジン、アニリン、フェナントロリン、ネオクプロイン、ピコリン酸、チオ尿素類、Ｎ―(３―ヒドロキシブチリデン)―ｐ―スルファニル酸、Ｎ―ブチリデンスルファニル酸、Ｎ―シンナモイリデンスルファニル酸、２,４―ジアミノ―６―(２′―メチルイミダゾリル(１′))エチル―１,３,５―トリアジン、２,４―ジアミノ―６―(２′―エチル―４―メチルイミダゾリル(１′))エチル―１,３,５―トリアジン、２,４―ジアミノ―６―(２′―ウンデシルイミダゾリル(１′))エチル―１,３,５―トリアジン、サリチル酸フェニル、或は、ベンゾチアゾール、２―メチルベンゾチアゾール、２―アミノベンゾチアゾール、２―アミノ―６―メトキシベンゾチアゾール、２―メチル―５―クロロベンゾチアゾール、２―ヒドロキシベンゾチアゾール、２―アミノ―６―メチルベンゾチアゾール、２―クロロベンゾチアゾール、２,５―ジメチルベンゾチアゾール、５―ヒドロキシ―２―メチルベンゾチアゾール等のベンゾチアゾール類などが挙げられる。
【００３０】
上記ｐＨ調整剤としては、塩酸、硫酸等の各種の酸、アンモニア水、水酸化カリウム、水酸化ナトリウム等の各種の塩基などが挙げられるが、ギ酸、酢酸、プロピオン酸などのモノカルボン酸類、ホウ酸類、リン酸類、シュウ酸、コハク酸などのジカルボン酸類、乳酸、酒石酸などのオキシカルボン酸類などが有効である。
上記防腐剤としては、ホウ酸、５−クロロ−２−メチル−４−イソチアゾリン−３−オン、塩化ベンザルコニウム、フェノール、フェノールポリエトキシレート、チモール、レゾルシン、イソプロピルアミン、グアヤコールなどが挙げられる。
【００３１】
無電解スズメッキの条件としては任意であるが、浴温は４５〜９０℃が好ましく、析出速度を増す見地から５０〜７０℃がより好ましい。
【００３２】
【発明の効果】
冒述したように、無電解スズメッキでは、浴ベースとなる有機スルホン酸がアルカンスルホン酸の場合とアルカノールスルホン酸とでは、得られるスズ皮膜上の析出異常の発生度合が大きく異なり、アルカンスルホン酸のアニオン部分が存在すると、スズ皮膜が析出異常する頻度が増し、アルカノールスルホン酸では、このような析出異常は顕著に解消される。
本発明は、上記知見に基づくもので、無電解メッキ浴中にアルカンスルホン酸(アニオン部分)を存在させず、アルカノールスルホン酸か、これと少量範囲内の芳香族オキシスルホン酸を水酸基を有する有機スルホン酸(アニオン部分)として添加させ、且つ、可溶性第一スズ塩(Ｓｎ2+換算)とアルカノールスルホン酸とチオ尿素類とを単位リットル当たり所定のモル量で添加するため、浴から得られるスズ皮膜に異常粒子が発生したり、過剰析出を起こすのを有効に防止して、良好な外観のメッキ皮膜を形成できる。
【００３３】
ちなみに、冒述の特開平１１−３４３５７８号公報の実施例５(段落５０参照)、或は、特開平１０−３６９７３号公報の実施例１１(段落６５参照)には、アルカンスルホン酸(アニオン部分)を含まず、アルカノールスルホン酸及び／又はその第一スズ塩を含む無電解スズメッキ浴が開示されているが、Ｓｎ2+／アルカノールスルホン酸(アニオン換算)／チオ尿素類の単位リットル当たりのモル量の比率は、特開平１１−３４３５７８号公報では０.２５／０.５／２.８１、特開平１０−３６９７３号公報では０.２９／１.３７／１.４８であって、いずれもアルカノールスルホン酸の含有モル量が、本発明の１.４モル／Ｌ以上である条件から外れている。
【００３４】
【実施例】
以下、本発明の無電解スズメッキ浴の実施例、当該メッキ浴から得られたスズ皮膜の外観評価試験例を順次説明する。
尚、本発明は下記の実施例、試験例に拘束されるものではなく、本発明の技術的思想の範囲内で任意の変形をなし得ることは勿論である。
【００３５】
下記の実施例１〜１２のうち、実施例１〜４は同一のアルカノールスルホン酸をベース酸と第一スズ塩に用いてその種類を変化させた例、実施例５〜７は異なるアルカノールスルホン酸をベース酸と第一スズ塩に用いてその種類を変化させた例、実施例８はアルカノールスルホン酸に少量範囲内の芳香族オキシスルホン酸を併用した例、実施例９はチオ尿素類を併用した例、実施例１０はベース酸に２種類のアルカノールスルホン酸を併用し、これらとは異なる種類のアルカノールスルホン酸の第一スズ塩を使用した例、実施例１１はベース酸にアルカノールスルホン酸と脂肪族カルボン酸を併用した例、実施例１２はベース酸にアルカノールスルホン酸と無機酸を併用した例である。
また、実施例１〜１２では、ベース酸にも、第一スズ塩にもアルカンスルホン酸は含有していない。
【００３６】
一方、比較例１〜１２のうち、比較例１はアルカンスルホン酸をベース酸と第一スズ塩に使用した例、比較例２は芳香族オキシスルホン酸をベース酸と第一スズ塩に使用した例、比較例３は芳香族オキシスルホン酸の第一スズ塩とベース酸としてのアルカンスルホン酸を使用した例、比較例４はアルカンスルホン酸の第一スズ塩とベース酸としてのアルカノールスルホン酸を使用した例、実施例５はアルカノールスルホン酸(アニオン換算)に対して、芳香族オキシスルホン酸(アニオン換算)を１／１０モル比より多く使用した例、比較例６はアルカンスルホン酸と無機酸を併用した例、比較例７は芳香族オキシスルホン酸と無機酸を併用した例、比較例８は水酸基を有しない有機スルホン酸の第一スズ塩と、ベース酸としてのアルカンスルホン酸及びアルカノールスルホン酸を使用した例、比較例９はＳｎ2+の含有量が０.０１モル／Ｌより少ない例、比較例１０はＳｎ2+の含有量が２.０モル／Ｌを越える例、比較例１１はアルカノールスルホン酸(アルカン換算)の含有量が１.４モル／Ｌより少ない例、比較例１２はチオ尿素類の含有量が０.６モル／Ｌより少ない例である。
尚、比較例群では、Ｓｎ2+とベース酸とチオ尿素類の含有量(単位リットル当たり)をできる限り統一するようにした。
【００３７】
《実施例１》
下記の組成により無電解スズメッキ浴を建浴した。
0004025981.tif 000002
本実施例１の組成を前記条件(ａ)〜(ｃ)に基づいて説明すると、アルカンスルホン酸のアニオン部分は存在せず、Ｓｎ2+の含有量は０.１５ｍｏｌ／Ｌ、アルカノールスルホン酸(アニオン換算)は１.５０＋０.１５×２＝１.８ｍｏｌ／Ｌ、チオ尿素類は１.００ｍｏｌ／Ｌであって、各成分の単位リットル当たりのモル量の割合は、Ｓｎ2+／アルカノールスルホン酸／チオ尿素類＝０.１５／１.８／１となっている。
【００３８】
《実施例２》
下記の組成により無電解スズメッキ浴を建浴した。
0004025981.tif 000003
【００３９】
《実施例３》
下記の組成により無電解スズメッキ浴を建浴した。
0004025981.tif 000004
【００４０】
《実施例４》
下記の組成により無電解スズメッキ浴を建浴した。
0004025981.tif 000005
【００４１】
《実施例５》
下記の組成により無電解スズメッキ浴を建浴した。
0004025981.tif 000006
【００４２】
《実施例６》
下記の組成により無電解スズメッキ浴を建浴した。
0004025981.tif 000007
【００４３】
《実施例７》
下記の組成により無電解スズメッキ浴を建浴した。
0004025981.tif 000008
【００４４】
《実施例８》
下記の組成により無電解スズメッキ浴を建浴した。
0004025981.tif 000009
本実施例８の組成を前記条件(ｂ)に基づいて説明すると、アルカノールスルホン酸(アニオン換算)の含有量は１.５０＋０.５０×２＝２.５０ｍｏｌ／Ｌ、フェノールスルホン酸(アニオン換算)は０.２０ｍｏｌ／Ｌであって、アルカノールスルホン酸とフェノールスルホン酸のモル比は、フェノールスルホン酸／アルカノールスルホン酸＝０.２０／２.５０＝０.０８となっている。
【００４５】
《実施例９》
下記の組成により無電解スズメッキ浴を建浴した。
0004025981.tif 000010
【００４６】
《実施例１０》
下記の組成により無電解スズメッキ浴を建浴した。
0004025981.tif 000011
【００４７】
《実施例１１》
下記の組成により無電解スズメッキ浴を建浴した。
0004025981.tif 000012
【００４８】
《実施例１２》
下記の組成により無電解スズメッキ浴を建浴した。
0004025981.tif 000013
【００４９】
《比較例１》
下記の組成により無電解スズメッキ浴を建浴した。
0004025981.tif 000014
【００５０】
《比較例２》
下記の組成により無電解スズメッキ浴を建浴した。
・ｐ−フェノールスルホン酸第一スズ(Ｓｎ2+として)  ：０.４０ｍｏｌ／Ｌ
・ｐ−フェノールスルホン酸                        ：１.４０ｍｏｌ／Ｌ
・チオ尿素                                        ：１.５０ｍｏｌ／Ｌ
・次亜リン酸ナトリウム                            ：０.１０ｍｏｌ／Ｌ
・α−ナフトールポリエトキシレート(EO15モル)      ：５.０ｇ／Ｌ
【００５１】
《比較例３》
下記の組成により無電解スズメッキ浴を建浴した。
・ｐ−フェノールスルホン酸第一スズ(Ｓｎ2+として)  ：０.４０ｍｏｌ／Ｌ
・メタンスルホン酸                                ：１.４０ｍｏｌ／Ｌ
・チオ尿素                                        ：１.５０ｍｏｌ／Ｌ
・次亜リン酸ナトリウム                            ：０.１０ｍｏｌ／Ｌ
・α−ナフトールポリエトキシレート(EO15モル)      ：５.０ｇ／Ｌ
【００５２】
《比較例４》
下記の組成により無電解スズメッキ浴を建浴した。
・メタンスルホン酸第一スズ(Ｓｎ2+として)          ：０.４０ｍｏｌ／Ｌ
・２−ヒドロキシプロパン−１−スルホン酸          ：１.４０ｍｏｌ／Ｌ
・チオ尿素                                        ：１.５０ｍｏｌ／Ｌ
・次亜リン酸ナトリウム                            ：０.１０ｍｏｌ／Ｌ
・α−ナフトールポリエトキシレート(EO15モル)      ：５.０ｇ／Ｌ
【００５３】
《比較例５》
下記の組成により無電解スズメッキ浴を建浴した。
0004025981.tif 000015
本比較例５の組成を前記条件(ａ)〜(ｃ)に基づいて説明すると、アルカンスルホン酸のアニオン部分は存在しないが、アルカノールスルホン酸(アニオン換算)の含有量は１.４０＋０.４０×２＝２.２０ｍｏｌ／Ｌ、フェノールスルホン酸(アニオン換算)は１.００ｍｏｌ／Ｌであって、アルカノールスルホン酸とフェノールスルホン酸のモル比は、フェノールスルホン酸／アルカノールスルホン酸＝１.００／２.２０＝０.４５となっている。
【００５４】
《比較例６》
下記の組成により無電解スズメッキ浴を建浴した。
・メタンスルホン酸第一スズ(Ｓｎ2+として)          ：０.４０ｍｏｌ／Ｌ
・メタンスルホン酸                                ：１.００ｍｏｌ／Ｌ
・硫酸                                            ：０.４０ｍｏｌ／Ｌ
・チオ尿素                                        ：１.５０ｍｏｌ／Ｌ
・次亜リン酸ナトリウム                            ：０.１０ｍｏｌ／Ｌ
・α−ナフトールポリエトキシレート(EO15モル)      ：５.０ｇ／Ｌ
【００５５】
《比較例７》
下記の組成により無電解スズメッキ浴を建浴した。
・ｐ−フェノールスルホン酸第一スズ(Ｓｎ2+として)  ：０.４０ｍｏｌ／Ｌ
・ｐ−フェノールスルホン酸                        ：１.００ｍｏｌ／Ｌ
・硫酸                                            ：０.４０ｍｏｌ／Ｌ
・チオ尿素                                        ：１.５０ｍｏｌ／Ｌ
・次亜リン酸ナトリウム                            ：０.１０ｍｏｌ／Ｌ
・α−ナフトールポリエトキシレート(EO15モル)      ：５.０ｇ／Ｌ
【００５６】
《比較例８》
下記の組成により無電解スズメッキ浴を建浴した。
・スルホコハク酸第一スズ(Ｓｎ2+として)            ：０.４０ｍｏｌ／Ｌ
・メタンスルホン酸                                ：０.７０ｍｏｌ／Ｌ
・２−ヒドロキシプロパン−１−スルホン酸          ：０.７０ｍｏｌ／Ｌ
・チオ尿素                                        ：１.５０ｍｏｌ／Ｌ
・次亜リン酸ナトリウム                            ：０.１０ｍｏｌ／Ｌ
・α−ナフトールポリエトキシレート(EO15モル)      ：５.０ｇ／Ｌ
【００５７】
《比較例９》
下記の組成により無電解スズメッキ浴を建浴した。
0004025981.tif 000016
【００５８】
《比較例１０》
下記の組成により無電解スズメッキ浴を建浴した。
0004025981.tif 000017
【００５９】
《比較例１１》
下記の組成により無電解スズメッキ浴を建浴した。
0004025981.tif 000018
本比較例１１を前記条件(ａ)〜(ｃ)に基づいて説明すると、アルカンスルホン酸のアニオン部分は存在しないが、アルカノールスルホン酸(アニオン換算)の含有量は、０.６０＋０.３５×２＝１.３０ｍｏｌ／Ｌとなっている。
【００６０】
《比較例１２》
下記の組成により無電解スズメッキ浴を建浴した。
0004025981.tif 000019
【００６１】
《スズメッキ皮膜の外観評価試験例》
そこで、ＳＬＰ(電解銅箔の一種)でパターン形成したＴＡＢのフィルムキャリアを被メッキ物として、このフィルムキャリアのインナリード上に、上記実施例１〜１２及び比較例１〜１２の各無電解スズメッキ浴を用いて、浴温６５℃、メッキ時間５分の条件で無電解メッキを施して、得られたスズ皮膜の析出状況を目視観察し、皮膜外観を評価した。
上記皮膜外観は、冒述したように、スズ皮膜の表面に微細な異常粒子が群棲して発生しているか、或は、スズ皮膜が樹氷状に過剰析出しているかなどを中心とした析出異常の有無に基づいて評価したため、その評価基準は次の通りである。
○ ：過剰析出も異常粒子も認められず。
△1：異常粒子が発生した。
△2：過剰析出が発生した。
× ：過剰析出と異常粒子が共に発生した。
【００６２】
図１はその試験結果を示す。
実施例１〜１２から得られたスズ皮膜では、すべて異常粒子や過剰析出の発生はなく、良好な外観のスズ皮膜が形成できた(前記図４〜図５は当該スズ皮膜に対応する)が、比較例１〜８と比較例１０では、いずれも過剰析出及び／又は異常粒子が発生し、スズ皮膜に析出異常が認められたため、良好なスズ皮膜は得られなかった。また、比較例１１〜１２では、メッキ浴中のアルカノールスルホン酸のアニオン部分又はチオ尿素類の含有モル量が適正範囲より少ないため、浴が分解し、比較例９では、第一スズ塩の含有量が適正範囲より少ないため、皮膜自体が析出しなかった。
以上の点を詳述すると、先ず、実施例と比較例の対比から、メッキ浴中にアルカンスルホン酸のアニオン部分が存在すると、なんらかの析出異常が発生し、それは、比較例３のように、遊離酸としてアルカンスルホン酸を含む場合に限らず、比較例４のように、アルカンスルホン酸の第一スズ塩を含む場合も同じく析出異常になることが確認できた。
逆に、析出異常を防止するには、有機スルホン酸がアルカノールスルホン酸であることが必要であり、このアルカノールスルホン酸は、実施例１〜４によると、その種類を問わないことが判る。また、アルカノールスルホン酸は実施例１〜４のように単用しても、実施例５〜７のように併用しても良く、さらには、実施例１１〜１２のようにアルカノールスルホン酸と他の有機酸又は無機酸を併用しても、析出異常を有効に防止できることが判る。
一方、アルカノールスルホン酸と共にフェノールスルホン酸を併用する場合には、実施例８のように、アルカノールスルホン酸の１／１０以下のモル比でフェノールスルホン酸を併用した場合には析出異常の防止作用を担保できるが、比較例５のように、１／１０を越えるモル比で併用した場合には、析出異常が生じてしまうことが確認できた。
さらに、アルカノールスルホン酸をベースとする浴においては、Ｓｎ2+とアルカノールスルホン酸(アニオン換算)とチオ尿素類の基本組成の単位リットル当たりのモル量が本発明の所定範囲内にある各実施例では、析出異常を顕著に防止でき、各臨界値に近い実施例２においても(Ｓｎ2+は０.０５モル／Ｌ、アルカノールスルホン酸(アニオン換算)は１.５モル／Ｌ、チオ尿素類は０.６モル／Ｌ)、析出異常の防止に有効であるが、比較例９〜１２のように、上記基本組成が所定範囲から外れると、析出異常が発生するか、浴が分解するか、或は、スズ皮膜が析出しないかのいずれかであり、良好な外観のスズ皮膜は得られないことが確認できた。
以上のことから、無電解スズの有機スルホン酸浴にあっては、アルカンスルホン酸を使用すると、得られるスズ皮膜に析出異常が発生するが、アルカノールスルホン酸を使用した場合にはこのような析出異常を有効に防止できることが判った。また、アルカノールスルホン酸をベースとする浴であっても、スズ皮膜の析出異常を防止するためには、第一スズ塩とアルカノールスルホン酸(アニオン換算)とチオ尿素類の単位リットル当たりの各モル量を適正範囲内に調整することが必要であり、また、アルカノールスルホン酸と共にフェノールスルホン酸を併用する際にも、フェノールスルホン酸を適正な少量範囲内で添加することの必要性が明らかになった。
【図面の簡単な説明】
【図１】実施例１〜１２及び比較例１〜１２の各無電解スズメッキ浴から得られたスズ皮膜の外観評価試験の結果を示す図表である。
【図２】異常粒子が発生したスズ皮膜を示す電子顕微鏡写真(倍率1000倍)である。
【図３】過剰析出が発生したスズ皮膜を示す電子顕微鏡写真(倍率500倍)である。
【図４】異常粒子の発生がない正常なスズ皮膜を示す電子顕微鏡写真(倍率1000倍)である。
【図５】過剰析出の発生がない正常なスズ皮膜を示す電子顕微鏡写真(倍率500倍)である。
【図１】
0004025981.tif 000020
【図２】
0004025981.tif 000021
【図３】
0004025981.tif 000022
【図４】
0004025981.tif 000023
【図５】
0004025981.tif 000024